【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
本体部（１８）および固定部（１６）を含むインサートホルダー（１２、１２´）と、切削用インサート（１４、１４´）とを含む切削工具（１０、１０´）であって、
前記固定部（１６）は、ベースジョー（２２）と、クランプジョー（２０）と、これらの間のインサートポケット（２４、２４´）であって、該ポケットの前端部（２８）にあるポケットの開口部（２６）から該ポケットの後端部（３０）まで延びているインサートポケット（２４、２４´）とを含み、
前記クランプジョー（２０）は、前方凹部（４２）によって分離された２つのサブクランプジョー（３２、３４、３４´）を含み、
前記切削用インサート（１４、１４´）は、前記２つのサブクランプジョー（３２、３４、３４´）と前記ベースジョー（２２）との間の前記インサートポケット（２４、２４´）内に弾力的に固定され、
該２つのサブクランプジョー（３２、３４、３４´）は、独立して弾力的に延びており、前記前方凹部（４２）は、延びていることを特徴とする切削工具（１０、１０´）。
【請求項２】
細長い前方サブクランプジョー（３２）は、その終端幅（ＷＣ１）よりも長い長さ（ＬＣ１）を有する請求項１に記載の切削工具（１０、１０´）。
【請求項３】
前記細長い前方凹部（４２）は、細長い前方サブクランプジョー（３２）の終端幅（ＷＣ１）よりも長い長さ（ＬＲ１）を有する請求項１に記載の切削工具（１０、１０´）。
【請求項４】
細長い後方サブクランプジョー（３４、３４´）は、その終端幅（ＷＣ２）よりも長い長さ（ＬＣ２）を有する請求項１に記載の切削工具（１０、１０´）。
【請求項５】
前記細長い前方凹部（４２）は、前記インサートポケット（２４、２４´）に隣接した第１の開口部（４４）からほぼ後方向に、かつ、前記ベースジョー（２２）から遠ざかる方向に、前記本体部（１８）に隣接した第１の終端部（４６）まで延びている請求項１に記載の切削工具（１０、１０´）。
【請求項６】
後方凹部（５２）は、前記インサートポケット（２４、２４´）に隣接した第２の開口部（５４）からほぼ後方向に前記本体部（１８）に隣接した第２の終端部（５６）まで細長い後方サブクランプジョー（３４、３４´）に隣接して延びている請求項１に記載の切削工具（１０、１０´）。
【請求項７】
前記ベースジョー（２２）は、前記インサートポケット（２４、２４´）に隣接した当接面（７２）を有し、細長い前方サブクランプジョー（３２）は、該インサートポケット（２４、２４´）に隣接した前方固定面（３６）を有し、細長い後方サブクランプジョー（３４、３４´）は、該インサートポケット（２４、２４´）に隣接した後方固定面（４８）を有し、該当接面（７２）は、前記前方固定面（３６）および前記後方固定面（４８）に対しほぼ対向する請求項１に記載の切削工具（１０、１０´）。
【請求項８】
前記当接面（７２）は、該当接面（７２）を、前記前方固定面（３６）に対しほぼ対向する前方当接面（７６）と前記後方固定面（４８）に対しほぼ対向する後方当接面（７８）とに分けるベースの凹部（７４）を備える請求項７に記載の切削工具（１０、１０´）
。
【請求項９】
前記インサートホルダー（１２）の側面図において、前記前方固定面（３６）および前記後方固定面（４８）が第１の直線（Ｌ１）上にあり、前記前方当接面（７６）および前記後方当接面（７８）が第２の直線（Ｌ２）上にあり、該第１の直線（Ｌ１）および該第２の直線（Ｌ２）は、前記インサートポケット（２４）の後方にある点（Ｐ１）に集まり、これらの間に第１の鋭角（α１）を形成する請求項８に記載の切削工具（１０、１０´）。
【請求項１０】
前記インサートホルダー（１２´）の側面図において、前記前方固定面（３６）が第１の直線（Ｌ１）上にあり、該前方当接面（７６）および該後方当接面（７８）が第２の直線（Ｌ２）上にあり、前記第１の直線（Ｌ１）および前記第２の直線（Ｌ２）は、前記インサートポケット（２４´）の後方にある点（Ｐ１）に集まり、これらの間に第１の鋭角（α１）を形成し、前記後方固定面（４８）は、第６の直線（Ｌ６）上にあり、該第６の直線および前記第２の直線（Ｌ２）は、該インサートポケット（２４´）の後方にある点（Ｐ３）に集まり、これらの間に第４の鋭角（α４）を形成し、該第１の直線（Ｌ１）および該第６の直線（Ｌ６）は、一つの直線上になく、該第１の直線（Ｌ１）は、前記後方サブクランプジョー（３４´）を通る請求項８に記載の切削工具（１０、１０´）。
【請求項１１】
前記切削用インサート（１４）は、前端部に切刃（９８）を有する切削部分（６６）と、後端部に位置決め部分（８０）とを含み、該位置決め部分（８０）は、上部位置決め面（８２）と下部位置決め面（８４）とを含み、前記切削用インサート（１４）が前記インサートポケット（２４）内に保持された状態で、該上部位置決め面（８２）が前記前方固定面（３６）および前記後方固定面（４８）に当接し、該下部位置決め面（８４）が前記当接面（７２）に当接し、
前記切削用インサート（１４）の側面図において、前記上部位置決め面（８２）および前記下部位置決め面（８４）は、それぞれ、その間に第２の鋭角（α２）を形成する第３の直線（Ｌ３）および第４の直線（Ｌ４）上にあり、該第３の直線（Ｌ３）および該第４の直線（Ｌ４）は、該切削用インサート（１４）の後方にある点（Ｐ２）に集まる請求項９に記載の切削工具（１０、１０´）。
【請求項１２】
前記切削用インサート（１４´）は、前端部に切刃（９８）を有する切削部分（６６）と、後端部に位置決め部分（８０）とを含み、該位置決め部分（８０）は、上部位置決め面（８２´）と下部位置決め面（８４）とを含み、該切削用インサート（１４´）の前記上部位置決め面（８２´）は、３つの部分である、前記切削部分（６６）に隣接した前方部（９２）と、該切削部分（６６）の末端の後方部（９４）と、および前記前方部（９２）と前記後方部（９４）との間に配置された中央部（９６）とに分けられ、前記切削用インサート（１４´）が前記インサートポケット（２４´）内に保持された状態で、前記上部位置決め面（８２´）の前記前方部（９２）が前記前方固定面（３６）に当接し、該上
部位置決め面（８２´）の前記後方部（９４）が前記固定面（４８）に当接し、前記下部位置決め面（８４）が前記当接面（７２）に当接し、
前記切削用インサート（１４´）の側面図において、前記上部位置決め面の前方部（９２）および前記下部位置決め面（８４）は、それぞれ、その間に第２の鋭角（α２）を形成する第３の直線（Ｌ３）および第４の直線（Ｌ４）上にあり、前記上部位置決め面の後方部（９４）は、前記第４の直線（Ｌ４）と共に第３の鋭角（α３）を形成する第５の直線（Ｌ５）上にあり、前記第３の直線（Ｌ３）および第５の直線（Ｌ５）は、一つの直線上にない請求項１０に記載の切削工具（１０、１０´）。
【請求項１３】
前記上部位置決め面（８２´）の前記前方部（９２）および前記中央部（９６）は、これらの間に第１の鈍角の内角（β１）を形成し、該上部位置決め面（８２´）の該中央部（９６）および前記後方部（９４）は、第２の鈍角の外角（β２）を形成する請求項１２に記載の切削工具（１０、１０´）。
【請求項１４】
前記インサートホルダー（１２、１２´）は、前記インサートポケット（２４、２４´）に隣接した後方停止面（６０）を有する突起部（５８）を備え、該突起部（５８）は、前記後方凹部部（５２）と下方凹部（７０）との間に配置され、該下方凹部（７０）は、該インサートポケット（２４、２４´）の後方から、ほぼ後方向に延びており、前記切削用インサート（１４、１４´）は、前記切削部分（６６）の末端の後部位置決め面（６２）を備えており、該切削用インサート（１４、１４´）が該インサートポケット（２４、２４´）内に保持される場合、前記後部位置決め面（６２）が前記後方停止面（６０）に当接する請求項１１または請求項１２に記載の切削工具（１０、１０´）。
【請求項１５】
前記切削用インサート（１４、１４´）は、前記切削部分（６６）に隣接した上部前方位置決め面（６４）を備え、前記インサートホルダー（１２、１２´）は、前記前方固定面（３６）に隣接した前方停止面（６８）を備え、前記切削用インサート（１４、１４´）が前記インサートポケット（２４、２４´）内に保持される場合、該上部前方位置決め面（６４）が該前方停止面（６８）に当接する請求項１１または請求項１２に記載の切削工具（１０、１０´）。
【請求項１６】
本体部（１８）、および、ベースジョー（２２）と、クランプジョー（２０）と、これらの間に形成されたインサートポケット（２４、２４´）とを含む固定部（１６、１６´）を含むインサートホルダー（１２、１２´）であって、
前記インサートポケット（２４、２４´）は、該ポケット（２４、２４´）の前端部（２８）にあるポケットの開口部（２６）から該ポケット（２４、２４´）の後端部（３０）まで延びており、
前記クランプジョー（２０）は、前方凹部（４２）によって分離された２つの細長いサブクランプジョー（３２、３４、３４´）を含み、
前記２つのサブクランプジョー（３２、３４、３４´）は、独立して弾力的に延び、該前方凹部（４２）が延びていることを特徴とするインサートホルダー（１２、１２´）。
【請求項１７】
細長い前方サブクランプジョー（３２）は、その終端幅（ＷＣ１）よりも長い長さ（ＬＣ１）を有する請求項１６に記載のインサートホルダー（１２、１２´）。
【請求項１８】
前記細長い前方凹部（４２）は、細長い前方サブクランプジョー（３２）の終端幅（ＷＣ１）よりも長い長さ（ＬＲ１）を有する請求項１６に記載のインサートホルダー（１２、１２´）。
【請求項１９】
細長い後方サブクランプジョー（３４、３４´）は、その終端幅（ＷＣ２）よりも長い長さ（ＬＣ２）を有する請求項１６に記載のインサートホルダー（１２、１２´）。
【請求項２０】
前記細長い前方凹部（４２）は、前記インサートポケット（２４、２４´）に隣接した第１の開口部（４４）からほぼ後方向に、かつ、前記ベースジョー（２２）から遠ざかる方向に、前記本体部（１８）に隣接した第１の終端部（４６）まで延びている請求項１６に記載のインサートホルダー（１２、１２´）。
【請求項２１】
後方凹部（５２）は、前記インサートポケット（２４、２４´）に隣接した第２の開口部（５４）から前記本体部（１８）に隣接した第２の終端部（５６）まで細長い後方サブクランプジョー（３４、３４´）に隣接してほぼ後方向に延びる請求項１６に記載のインサートホルダー（１２、１２´）。
【請求項２２】
前記ベースジョー（２２）は、前記インサートポケット（２４、２４´）に隣接した当接面（７２）を有し、細長い前方サブクランプジョー（３２）は、該インサートポケット（２４、２４´）に隣接した前方固定面（３６）を有し、細長い後方サブクランプジョー（３４、３４´）は、該インサートポケット（２４、２４´）に隣接した後方固定面（４８）を有し、前記当接面（７２）は、前方固定面（３６）および該後方固定面（４８）に対しほぼ対向する請求項１６に記載のインサートホルダー（１２、１２´）。
【請求項２３】
前記当接面（７２）は、該当接面（７２）を、前記前方固定面（３６）に対し対向する前方当接面（７６）と、前記後方固定面（４８）に対し対向する後方当接面（７８）とに分けるベースの凹部（７４）を備える請求項２２に記載のインサートホルダー（１２、１２´）。
【請求項２４】
前記インサートホルダー（１２）の側面図において、前記前方固定面（３６）および前記後方固定面（４８）が、第１の直線（Ｌ１）上にあり、前記前方当接面（７６）および前記後方当接面（７８）が、第２の直線（Ｌ２）上にあり、前記第１の直線（Ｌ１）および前記第２の直線（Ｌ２）は、前記インサートポケット（２４）の後方にある点（Ｐ１）に集まり、これらの間に第１の鋭角（α１）を形成する請求項２３に記載のインサートホルダー（１２）。
【請求項２５】
前記インサートホルダー（１２´）の側面図において、前記前方固定面（３６）が、第１の直線（Ｌ１）上にあり、前記前方当接面（７６）および前記後方当接面（７８）が、第２の直線（Ｌ２）上にあり、前記第１の直線（Ｌ１）および前記第２の直線（Ｌ２）は、前記インサートポケット（２４´）の後方にある点（Ｐ１）に集まり、これらの間に第１の鋭角（α１）を形成し、前記後方固定面（４８）が、第６の直線（Ｌ６）上にあり、前記第６の直線（Ｌ６）および前記第２の直線（Ｌ２）は、該インサートポケット（２４´）の後方にある点（Ｐ３）に集まり、これらの間に第４の鋭角（α４）を形成し、該第１の直線（Ｌ１）および前記第６の直線（Ｌ６）は一つの直線上になく、該第１の直線（Ｌ１）は、前記後方サブクランプジョー（３４´）を通る請求項２３に記載のインサートホルダー（１２´）。
【請求項２６】
前端部に切刃（９８）を有する切削部分（６６）と、後端部に位置決め部分（８０）とを含む切削用インサート（１４´）であって、
前記位置決め部分（８０）は、上部位置決め面（８２´）と下部位置決め面（８４）とを含み、
前記上部位置決め面（８２´）は、前記切削部分（６６）に隣接した前方部（９２）と、該切削部分（６６）の末端の後方部（９４）と、該前方部（９２）と該後方部（９４）との間に配置された中央部（９６）とで３つの部分に分けられ、
前記切削用インサート（１４´）の側面図において、前記上部位置決め面の前方部（９２）および前記下部位置決め面（８４）が、それぞれ、第３の直線（Ｌ３）および第４の直線（Ｌ４）上にあり、前記上部位置決め面の後方部（９４）は、前記第４の直線（Ｌ４）と共に第３の鋭角（α３）を形成する第５の直線（Ｌ５）上にあり、前記第３の直線（Ｌ３）および前記第５の直線（Ｌ５）は、一つの直線上になく、
該第３の直線（Ｌ３）および第４の直線（Ｌ４）は、それらの間に第２の鋭角（α２）を形成することを特徴とする切削用インサート（１４´）。
【請求項２７】
前記上部位置決め面（８２´）の前記前方部（９２）および前記中央部（９６）が、これらの間に第１の鈍角の内角（β１）を形成し、該上部位置決め面（８２´）の該中央部（９６）および前記後方部（９４）が、第２の鈍角の外角（β２）を形成する請求項２６に記載の切削用インサート（１４´）。
【手続補正２】
【補正対象書類名】明細書
【補正対象項目名】００３８
【補正方法】変更
【補正の内容】
【００３８】
切削用インサート１４がインサートポケット２４に挿入される場合、前方サブクランプジョー３２は、前方固定領域８６が前方固定面３６と前方当接面７６との間に配置されたとき、ベースジョー２２から離れるように押され、これにより、前方固定面３６と前方当接面７６との間の距離が増大される。同様に、後方サブクランプジョー３４は、後方固定領域８８が後方固定面４８と後方当接面７８との間に配置されるとき、ベースジョー２２から離れるように押され、これにより、後方固定面４８と後方当接面７８との間の距離が増大される。
【手続補正３】
【補正対象書類名】明細書
【補正対象項目名】００４１
【補正方法】変更
【補正の内容】
【００４１】
ここで、本発明の第２の実施例による切削工具１０´を示す図４乃至図６に注目される。第２の実施例による切削工具１０´は、二つの特徴を別として、第１の実施例による切削工具１０と類似しており、即ち、その二つの特徴は、切削用インサート１４´の上部位置決め面８２´の幾何学的形状と、ならびに、前方サブクランプジョー３２の前方固定面３６および後方サブクランプジョー３４’の後方固定面４８におけるそれぞれの相対的位置に影響を与える細長い後方サブクランプジョー３４´の長さＬＣ２´とにある。「ダッシュ（プライム符号）」が付けられた参照数字の部材は、「ダッシュが付けられていない」参照数字を有する本発明の第１の実施例における類似した部材であるが、本発明の第１の実施例と第２の実施例との間の相違の結果修正された本発明の第２の実施例における部材を示す。
【手続補正４】
【補正対象書類名】明細書
【補正対象項目名】００４３
【補正方法】変更
【補正の内容】
【００４３】
切削用インサート１４´の側面図において、上部位置決め面の前方部９２および下部位置決め面８４は、それぞれ、その間に第２の鋭角α２を形成する第３の直線Ｌ３および第４の直線Ｌ４上にある。上部位置決め面の後方部９４は、下部位置決め面８４がある第４の直線Ｌ４と共に第３の鋭角α３を形成する第５の直線Ｌ５上にある。第２の実施例による切削用インサート１４’の上部位置決め面８２´は、上部位置決め面の後方部９４が、上部位置決め面の前方部９２に対して凹まされた状態で階段状構成を有しているので、その結果、第３の直線Ｌ３および第５の直線Ｌ５は、一つの直線上にはない。言い換えれば、上部位置決め面の前方部９２がある第３の直線Ｌ３は、上部位置決め面の後方部９４から第１の所定距離ｄ１にある。第３の線Ｌ３および第５の線Ｌ５は必ずしも平行でないので、上部位置決め面の後方部９４の任意の都合の良い点で、例えば、中心点で、第１の所定距離ｄ１が、測定され得る。
【手続補正５】
【補正対象書類名】明細書
【補正対象項目名】００４４
【補正方法】変更
【補正の内容】
【００４４】
第２の実施例によるインサートホルダー１２´の側面図において、前方固定面３６は、第１の直線Ｌ１上にあり、前方当接面７６および後方当接面７８は、第２の直線Ｌ２上にあり、第１の直線Ｌ１および第２の直線Ｌ２は、インサートポケット２４’の後方にある点Ｐ１に集まり、これらの間に第１の鋭角α１を形成する。後方固定面４８は、第６の直線Ｌ６上にあり、第６の直線Ｌ６および第２の直線Ｌ２は、インサートポケット２４’の後方にある点Ｐ３に集まり、これらの間に第４の鋭角α４を形成する。